(57)【要約】      （修正有）【課題】コンセント本体とコンセントキーの組み合わせが一致した場合通電出来、公共又は個人の電気を守る盗難防止コンセントを提供する。【解決手段】平行な刃を持ったプラグを差し込めないようコンセント側の第一端子２が平行な刃以外のプラグを受け入れられるような構成のコンセントで特定の刃のプラグしか接続出来なく、コンセント側にはこの二つの端子の組み合わせ形状が設けられている構成。一つの端子を二つのねじ４で取り付ける構成であって基盤９にはねじ４を取り付けられるねじ穴が多数個設けられていてねじ穴を適当に選択しねじ４をねじ穴にねじ込むことにより異なる位置関係に固定出来る。 【選択図】図３
0003153819.tif 000002
【実用新案登録請求の範囲】
【請求項１】
向かい合って平行に配置された刃を持ったプラグを差し込めないようコンセント側の端子が向かい合って平行に配置された刃以外のプラグを受け入れられるような構成を特徴とするコンセント。
【請求項２】
特定の刃のプラグしか接続出来ないコンセントであってコンセント側の二つの端子の組み合わせ形状の構成を特徴とするコンセント。
【請求項３】
一つの端子を二つのねじで取り付ける構成であって基盤にはねじを取り付けられるねじ穴が多数個設けられていてねじ穴を適当に選択しねじをねじ穴にねじ込むことにより異なる位置関係に固定出来ることを特徴とするコンセント。
【請求項４】
解除用コンセントキーは縦方向及び横方向及び斜め方向にコンセント本体と同じ長さ及び幅のコンセントキーを有するコンセント本体と同様の組み合わせを持つコンセントキー刃が設けられるコンセントキーの構成を特徴とするコンセントキー。
【考案の詳細な説明】
【技術分野】
【０００１】
本考案はコンセント本体内部に縦方向及び横方向及び斜め方向に複数の組み合わせを備えたコンセント本体とコンセントキーに関するものである。
【背景技術】
【０００２】
公共の場に設けられているコンセントはどのプラグからでも接続出来るため第三者により電気が盗まれた。
【考案の開示】
【考案が解決しようとする課題】
【０００３】
今後電気自動車がガソリンに代わりエネルギーとなる中、現時点では電気を盗むことは可能である。コンセント本体とコンセントキーの組み合わせが一致した場合通電出来、公共又は個人の電気を守り、前述の欠点を解決しようとするものである。
【課題を解決するための手段】
【０００４】
本考案はコンセントキーを鍵、コンセント本体を錠前と考え、従来あるプラグに縦方向及び横方向及び斜め方向の組み合わせを持つコンセントキーを差し込み、コンセントキー側の形状とコンセント本体側の組み合わせが一致した場合のみ通電出来ることにより問題点を解決している。
【考案の効果】
【０００５】
上記のように盗難防止コンセントは現在どのプラグでもコンセントに差し込めば充電出来る公共又は個人の電気を盗まれることを防ぐ。
【０００６】
組み合わせにより異なるコンセントが容易に製造出来る。
【考案を実施するための最良の形態】
【０００７】
従来のプラグに数か縦方向及び横方向及び斜め方向に組み合わせを有するコンセントキー７を差し込むとコンセント本体１側の組み合わせと一致した場合のみコンセントキー刃第二端子６が第一端子２に押し込まれ通電が可能となる。
【実施例１】
【０００８】
以下、添付図面に従って実施例を説明する。図１において、コンセント本体１内部に左側上部ねじ穴及び左側中部のねじ穴を使用した第一端子２と中部ねじ穴及び右側中部ねじ穴を使用した第一端子２の組み合わせを示す。
【０００９】
ねじ穴３は本体１内部の底面に固定板基盤９に設けられている。
【００１０】
ねじ穴３は斜め方向に第一端子２を取り付けられるようねじ穴の位置により形状の異なった長穴を有している。
【００１１】
配線はねじ４と第一端子２との間に締め付け配線用穴５を通す。
【００１２】
図２において、コンセントキー７内部に存在する市販プラグ受け端子７とコンセントキー刃８は電気が通電可能な構成を示す。
【００１３】
図３において、コンセント本体１の組み合わせとコンセントキー刃６の組み合わせが一致して接続している状態にあるコンセント本体とコンセントキーの断面図を示す。
【００１４】
コンセント本体１とコンセントキー７双方の縦方向及び横方向及び斜め方向の組み合わせが一致してコンセントキー刃第二端子６が第一端子に押し込まれ通電状態にある。
【００１５】
ねじ穴３は本体１内部に構成された基盤９に設けられねじ４をナットにて締め付ける構成である。
【００１６】
本体カバー１０の差し込み口は第一端子２のすべての形状の３分の１に対応出来るよう構成され一つの形状に対し一つの本体カバー１０を製造する必要のないよう構成されている。
【００１７】
図４において、組み合わせが異なることにより接続出来ないことを示す。
【図面の簡単な説明】
【００１８】
【図１】盗難防止コンセントの実施方法の本体内部を示した説明図である。
【図２】コンセントキーの実施方法を示した説明図である。
【図３】コンセント本体とコンセントキーの断面図を示した説明図である。
【図４】盗難防止コンセントの組み合わせの異なった位置の実施方法の本体内部を示した説明図である。
【符号の説明】
【００１９】
１    コンセント本体
２    第一端子
３    ねじ穴
４    ねじ
５    配線用穴
６    コンセントキー刃第二端子
７    コンセントキー
８    市販プラグ受け端子
９    基盤９
１０    本体カバー
【図１】
0003153819.tif 000003
【図２】
0003153819.tif 000004
【図３】
0003153819.tif 000005
【図４】
0003153819.tif 000006
【手続補正書】
【提出日】平成20年12月18日(2008.12.18)
【手続補正１】
【補正対象書類名】実用新案登録請求の範囲
【補正対象項目名】全文
【補正方法】変更
【補正の内容】
【実用新案登録請求の範囲】
【請求項１】
配線から電気をとるための差し込み口の組み合わせが複数個存在する穴を用いて、向かい合って平行に配置された刃以外のＬ字型、¬字型、」字型、「字型のフラグを受け入れられるような構成を特徴とするコンセント。
【請求項２】
特定の刃のフラグしか接続出来ないコンセントであって縦方向と横方向及び斜め方向いずれか二つの端子の組み合わせがＬ字型、¬字型、」字型、「字型の構成を特徴とするコンセント。
【請求項３】
差し込み口の枠体内の底面に基盤を設け複数個存在する穴を適当に選択しその二箇所をねじでねじ穴にねじ込むことによりＬ字型、¬字型、」字型、「字型の異なる位置関係に固定出来ることを特徴とするコンセント。
【手続補正書】
【提出日】平成21年4月22日(2009.4.22)
【手続補正１】
【補正対象書類名】実用新案登録請求の範囲
【補正対象項目名】全文
【補正方法】変更
【補正の内容】
【実用新案登録請求の範囲】
【請求項１】
一対の端子を有するプラグを一対のコンセント端子が受け入れられるよう設けられたコンセントであって、前記コンセントにはそれぞれの端子を固定する取り付け穴が複数個形成されていて、前記端子と前記取り付け穴は非平行でかつ異なる複数の組み合わせで固定出来るよう形成されており、取り付け穴を選択し二つの一対の端子の組み合わせを有するコンセント。
【請求項２】
特定の刃のプラグしか接続出来ないコンセントであって縦方向、横方向及び斜め方向のいずれか二つの組み合わせがL字型、¬字型、」字型、「字型のプラグを受け入れるための穴を用いた構成を特徴とするコンセント。
【請求項３】
差し込み口の枠体内の底面に基盤を設け、基盤に複数個存在する穴を適当に選択しその二か所をねじによって基盤に存在するねじ穴にねじ込むことによりL字型、¬字型、」字型、「字型の異なる位置関係に固定出来ることを特徴とするコンセント。
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
プラグの一対の端子を差し込む第二端子を設けたコンセントであって、前記一対の第一端子は平行に伸びた板状の端子であって、先端側から見たとき互いに９０度ずらして配置されており、前記第二端子は前期一対の第一端子を弾性挟持する形状となっていることを特徴とする盗難防止コンセント。